【事件の表示】
　特願２００８−３０２６１９「情報検索装置、情報検索方法及びプログラム」拒絶査定不服審判事件〔平成２２年　６月１０日出願公開、特開２０１０−１２８７７７〕について、次のとおり審決する。
【結　論】
　本件審判の請求は、成り立たない。
【理　由】
第１　手続の経緯
　本願は，平成２０年１１月２７日の出願であって，平成２３年９月２７日付けの拒絶理由通知に対して同年１２月１日付けで手続補正がなされたが，平成２４年６月１４日付けで拒絶査定がなされ，これに対して平成２４年９月２０日に拒絶査定不服審判の請求がなされるとともに手続補正がなされ，さらに平成２５年３月７日付けの審尋に対して同年５月１日付けで回答書が提出されたものである。
　
第２　平成２４年９月２０日付けの手続補正についての補正却下の決定
　
　［補正却下の決定の結論］
  
　平成２４年９月２０日付けの手続補正を却下する。 
　
［理由］
１．補正の内容について
　平成２４年９月２０日付けの手続補正（以下，「本件補正」という。）により，平成２３年１２月１日付けの手続補正による補正前の請求項１〜７は，補正後の請求項１〜７のとおりに補正された。
　このうち，補正前の請求項１の「情報検索装置」に係る発明は，補正後の請求項１の「情報検索装置」に係る発明に対応するものと認められるところ，補正前の請求項１及び補正後の請求項１はそれぞれ以下のとおりである。
（なお，下線は，補正の個所を示すものとして審判請求人が付加したものである。）
　
＜補正前＞
「　【請求項１】
　ネットワークを介して接続されたクライアント端末からの検索要求に含まれる検索条件を取得する検索条件取得手段と，
　前記検索条件に適合する情報を検索する検索実行手段と，
　前記検索実行手段による検索結果を，所定の条件に従って並び替えて前記クライアント端末に提示する検索結果提示手段と，を備えた情報検索装置であって，
　前記クライアント端末からユーザ属性を取得するユーザ属性取得手段と，
　前記ユーザ属性に基づいて生成された情報から，このユーザの現在のステータスを表すステータス情報を抽出するステータス情報抽出手段と，を備え，
　前記検索結果提示手段は，前記ステータス情報に含まれるユーザの居場所を示す情報に基づいて生成され，その生成タイミングに応じて変化しうる変動情報に基づいて検索結果を並び替えることを特徴とする情報検索装置。」
　
＜補正後＞
「　【請求項１】
　ネットワークを介して接続されたクライアント端末からの検索要求に含まれる検索条件を取得する検索条件取得手段と，
　前記検索条件に適合する情報を検索する検索実行手段と，
　前記検索実行手段による検索結果を，所定の条件に従って並び替えて前記クライアント端末に提示する検索結果提示手段と，を備えた情報検索装置であって，
　前記クライアント端末からユーザ属性を取得するユーザ属性取得手段と，
　前記ユーザ属性に基づいて生成された情報から，このユーザの現在のステータスを表すステータス情報を抽出するステータス情報抽出手段と，を備え，
　前記検索結果提示手段は，前記ステータス情報に含まれるユーザの居場所を示す情報に基づいて生成され，その生成タイミングに応じて変化しうる変動情報
の組合せに応じて検索結果に含まれるそれぞれの情報にポイントを付与し，ポイントの総計に応じたランキングに従って
　
２．補正の目的について
　補正後の請求項１は，補正前の請求項１に対して，次の補正がなされたものである。
　
（ａ）補正前の「変動情報に基づいて検索結果を並び替えること」を補正後の「変動情報の組合せに応じて検索結果に含まれるそれぞれの情報にポイントを付与し，ポイントの総計に応じたランキングに従って検索結果を並び替えること」とする補正。
　
　上記補正事項（ａ）は，検索結果の並び替えを，「変動情報に基づいて」行うことから，「変動情報の組合せに応じて検索結果に含まれるそれぞれの情報にポイントを付与し，ポイントの総計に応じたランキングに従って」行うことに限定するものである。
　
　してみれば，補正後の請求項１に係る本件補正は，補正前の請求項１に記載した発明を特定するために必要な事項を限定するものであるから，特許法第１７条の２第５項第２号に規定される「特許請求の範囲の減縮」を目的とするものである。
　
　そこで，本件補正後の請求項１に係る発明（以下，「本件補正発明」という。）が，特許出願の際独立して特許を受けることができるものであるか（特許法第１７条の２第６項において準用する同法第１２６条第７項の規定に適合するか）について以下に検討する。
　
３．引用例
　
（１）引用例１
　原査定の拒絶の理由に引用された特開２００７−３２８４９６号公報（以下，「引用例１」という。）には，図面とともに，次の（ア）〜（エ）の事項が記載されている。（下線は当審において付加したものである。）
　
（ア）「【技術分野】
【０００１】
  本発明は，例えばインターネット等の通信網を用い，
ユーザが所望のイベント情報を検索でき
る情報検索システム
　
（イ）「【０００７】
  本発明は，前記したような事情の下になされたものであり，
イベント情報を検索することのできる情報検索システムであって，ユーザ属性，検索日時，検索場所等を考慮した最適な検索結果
を容易に提供することができ
　
（ウ）「【００２７】
  以下，本発明の実施の形態を図面に基づき説明する。
図１は本発明の情報検索システム１００の全体構成を模式的に示すブロック図である
のシステム１００においては，
検索装置２がインターネット網５０（通信網）を介し，本システムに登録されている一または複数のユーザの端末，即ちユーザ端末３と
データ通信可能に接続されている
【００２８】
  前記ユーザ端末３は，例えばパーソナルコンピュータ，携帯情報端末，携帯電話等のいずれでもよく，ユーザがそれら端末３を用いる場所は限定されない。そして，
本システムにおいて，ユーザがそれら端末３を用い，所定の検索画面から文字入力等により所望のイベント情報に係るキーワード（検索条件）を入力し検索を実行させると，検索装置２内に蓄積された情報に対して検索処理が行われ，その検索結果として，ユーザに適した検索結果（イベント情報）
が，端末３の画面に表示されるように構成されている。
【００２９】
  
図２は，検索装置２の概略構成を示すブロック図である
検索装置２は，ユーザ端末３とのデータ通信の整合をとるインタフェース装置５と，イベント情報を検索し，イベント情報に関連する広告情報を選択するためのイベント検索・広告選択装置６と，インターネット網５０を介して取得された各種情報（イベント情報，広告情報等）を記録するための例えばハードディスクからなる記憶装置７（記録手段）
を備える
【００３０】
  図２に示すように
前記インタフェース装置５は，ユーザ端末３から入力され指定されたキーワード
を受け取り，それを解析して所定の検索条件を生成する入力情報処理機構５ａ
を有する
【００３１】
  また，図２に示すように
イベント検索・広告選択装置６は，検索条件に基づき記憶装置７からイベント情報を検索するイベント情報検索機構６ａ（イベント情報検索手段）
イベント情報検索機構６ａが検索したイベント情報から関連する広告情報を選択する広告選択機構６ｂ（広告情報選択手段）と
を有し
また，記憶装置７は，ユーザ属性情報，イベント情報，
を記録する情報記憶装置７ａ
を有している
【００３２】
（途中省略）
  尚，
検索装置２内における前記インタフェース装置５，イベント検索・広告選択装置６，記憶装置７，情報登録装置８は，夫々制御部１０（コンピュータ）に接続され，この制御部１０によって検索装置２における全体動作が制御されるように構成されている
【００３３】
  さらに，図３に基づき，検索装置２について詳細に説明する。
図３は，検索装置２内の構成をさらに具体的に示したブロック図である
検索装置２のイベント検索・広告選択装置６において，イベント情報検索機構６ａは，入力情報処理機構５ａから入力された検索条件Ｄ２に基づきイベント情報を検索する検索処理部６１ａと，
抽出されたイベント情報に対してユーザ属性情報を利用したフィルタ処理を行うイベント情報フィルタ処理部６３ａとを有する
【００３４】
  また，
このイベント情報検索機構６ａによる一連の処理により，イベント情報の検索結果として一つまたは複数のイベント情報からなるイベント情報リストＤ２が出力される
（途中省略）
【００３６】
  また，
記憶装置７において，情報記憶装置７ａは，図示するように，複数のユーザの個々についてユーザ属性情報が記録されるユーザ情報記憶部７１ａと，複数の各種イベント情報が記録されるイベント情報記憶部７２ａと，ユーザの操作履歴が記録されるユーザ操作履歴記憶部７３ａ（操作履歴記録手段）と
を有している
（途中省略）
【００３７】
  次に，情報記憶装置７ａに記録される情報について具体的な例を挙げ説明する。先ず，
ユーザ属性情報を記録するユーザ情報記憶部７１ａには，図４に示す例えばテーブルＴ１の情報，即ちログインユーザ名，パスワード，生年月日，性別，住所等の基本的な個人情報や，図５に示す例えばテーブルＴ２の情報，即ち趣味，興味ある分野等，ユーザの趣味嗜好情報が記録される。尚，これらテーブルＴ１，Ｔ２は，本システムに登録されるユーザ毎に記録される
これらの情報は，ユーザ端末３よりユーザが入力を行うことにより入力データが管理者端末１に送信され，管理者による承認後，情報登録機構８ａによりユーザ情報記憶部７１ａに記録される
（以下省略）」
　
（エ）「【００４２】
  続いて図１０のフロー，図１１乃至図１６のユーザ端末表示画面イメージ，図１７のフローに基づき，
ユーザがイベント情報を検索する際の制御部１０の制御による検索装置２の処理の流れについて説明する
  
図１１は，ユーザ端末３の表示画面イメージ（パーソナルコンピュータの場合）であり，本システムにおける検索トップページＷ１の例を示している。画面中のレイアウト構成としては，
各種カテゴリ検索領域Ａ５，キーワード検索領域Ａ６から構成される
【００４３】
  このような
検索トップページＷ１において，先ず，ユーザが例えばキーワード検索領域Ａ６でイベント情報に関する１つまたは複数のキーワードを入力し，検索ボタンをクリック操作すると，インタフェース装置５の入力情報処理機構５ａは，ユーザが入力したキーワードを解析し検索条件を生成する（図１０のステップＳ１）
  
イベント情報検索機構６ａの検索処理部６１ａは，前記検索条件に基づいてイベント情報記憶部７２ａを検索し，１つ又は複数のイベント情報を抽出する（図１０のステップＳ２）
【００４４】
（途中省略）
  また，
ステップ２において検索されたイベント情報が複数の場合には，イベント情報フィルタ処理部６３ａにおいて，前記検索されたイベント情報に対し，さらにユーザ属性情報を利用したフィルタ処理を行う（図１０のステップＳ４）。具体的には，ユーザの年齢，見たくないキーワード等の情報を用いて不適切なイベントが振るい落とされる
【００４５】
  さらに，
イベント優先度設定処理部６４ａにおいては，前記フィルタ処理がなされたイベント情報に対して，所定の優先度による並び替えを行いイベント情報リストＤ２とする（図１０のステップＳ５）。この優先度とは，例えば，ユーザが予め登録または検索条件として指定した地域情報（イベント開催地が近いイベント情報を優先する），ユーザ属性情報における趣味・嗜好情報（ユーザの趣味嗜好に適合するイベント情報を優先する），ユーザ操作履歴記憶部７３ａに記録されているユーザの選択操作履歴情報（過去に選択したイベント情報を優先する）等に基づき決定される
（途中省略）
【００５８】
  
図１２に示すように，検索結果一覧領域Ａ７には，前記イベント情報リストＤ２が一覧表示される
  また，検索結果ページＷ２において，大広告領域Ａ１及び小広告領域Ａ２には，イベント情報リストＤ２中の全イベント情報に関連する広告情報リストＤ３が表示され，リスト中の広告数に対し表示領域が足りない場合には，所定の表示時間毎に広告を切り換え表示するように制御がなされる。」
　
　図３によれば，イベント情報検索機構６ａが，イベント優先度設定処理部６４ａを有していることは明らかである。
　
　この点を踏まえ，上記摘記事項（ア）〜（エ）の記載及び図面の記載を総合すると，引用例１には次のとおりの発明（以下，「引用例１発明」という。）が記載されていると認められる。
　
「検索装置２とユーザ端末３とがインターネット網５０を介してデータ通信可能に接続され，ユーザが所望のイベント情報を検索すると，ユーザに適したイベント情報が，ユーザ端末３の画面に表示される情報検索システム１００において，
　検索装置２は，ユーザ端末３とのデータ通信の整合をとるインタフェース装置５と，イベント情報を検索するためのイベント検索・広告選択装置６と，イベント情報等を記録するための記憶装置７と，を備え，
　前記インタフェース装置５は，ユーザ端末３から入力されたキーワードを受け取り，それを解析して所定の検索条件を生成する入力情報処理機構５ａを有し，イベント検索・広告選択装置６は，検索条件に基づき記憶装置７からイベント情報を検索するイベント情報検索機構６ａを有し，また，記憶装置７は，ユーザ属性情報やイベント情報などを記録する情報記憶装置７ａ有し，
　イベント情報検索機構６ａは，入力された検索条件に基づきイベント情報を検索する検索処理部６１ａと，抽出されたイベント情報に対してユーザ属性情報を利用したフィルタ処理を行うイベント情報フィルタ処理部６３ａと，イベント優先度設定処理部６４ａを有し，このイベント情報検索機構６ａによる一連の処理により，イベント情報の検索結果として一つまたは複数のイベント情報からなるイベント情報リストＤ２が出力されるものであり，
　情報記憶装置７ａは，複数のユーザの個々についてユーザ属性情報が記録されるユーザ情報記憶部７１ａと，複数の各種イベント情報が記録されるイベント情報記憶部７２ａと，ユーザの操作履歴が記録されるユーザ操作履歴記憶部７３ａとを有しており，
　ユーザ属性情報を記録するユーザ情報記憶部７１ａには，ユーザがユーザ端末３より入力したユーザの趣味嗜好情報が記録されており，
　ユーザがイベント情報を検索する際には，
　ユーザが，ユーザ端末３の検索トップページＷ１において，イベント情報に関するキーワードを入力して検索ボタンをクリック操作すると，インタフェース装置５の入力情報処理機構５ａは，ユーザが入力したキーワードを解析して検索条件を生成し，
　イベント情報検索機構６ａの検索処理部６１ａは，前記検索条件に基づいてイベント情報記憶部７２ａを検索して，１つ又は複数のイベント情報を抽出し，
　検索されたイベント情報が複数の場合には，イベント情報フィルタ処理部６３ａにおいて，前記検索されたイベント情報に対し，ユーザ属性情報を利用したフィルタ処理を行い，
　さらに，イベント優先度設定処理部６４ａにおいて，前記フィルタ処理がなされたイベント情報に対して，所定の優先度による並び替えを行って，イベント情報リストＤ２とし，
　ここで，優先度とは，例えば，ユーザが予め登録または検索条件として指定した地域情報，ユーザ属性情報における趣味・嗜好情報，ユーザ操作履歴記憶部７３ａに記録されているユーザの選択操作履歴情報等に基づいて決定されるものであり，
　上記並び替えを行ったイベント情報リストＤ２を検索結果一覧領域Ａ７に一覧表示する。」
　
４．対比
　本件補正発明と引用例１発明とを対比する。
　
（ａ）引用例１発明の「検索装置２」は，ユーザ端末３とインターネット網５０を介して接続されており，ユーザが所望のイベント情報を検索すると，検索装置２において検索処理が実行されて，ユーザに適したイベント情報が，ユーザ端末３の画面に表示されるものであるから，引用例１発明の「検索装置２」が本件補正発明の「情報検索装置」に相当する。
　
（ｂ）引用例１発明では，ユーザが，ユーザ端末３の検索トップページＷ１において，イベント情報に関するキーワードを入力して検索ボタンをクリック操作すると，検索装置２が備えるインタフェース装置５の入力情報処理機構５ａが，ユーザが入力したキーワードを解析して検索条件を生成する。
　ここで，引用例１発明の「ユーザ端末３」が本件補正発明の「クライアント端末」に相当し，また，引用例１発明の「ユーザが入力したキーワードを解析して検索条件を生成」することが，本件補正発明の「検索要求に含まれる検索条件を取得する」ことに相当するから，引用例１発明の「ユーザ端末３においてユーザが入力したキーワードを解析して検索条件を生成する入力情報処理機構５ａ」が本件補正発明の「クライアント端末からの検索要求に含まれる検索条件を取得する検索条件取得手段」に相当する。
　また，引用例１発明では，検索装置２とユーザ端末３とがインターネット網５０を介してデータ通信可能に接続されており，ここで，引用例１発明の「インターネット網５０」が本件補正発明の「ネットワーク」に相当するから，引用例１発明の「インターネット網５０を介して検索装置２と接続されたユーザ端末３」が，本件補正発明の「ネットワークを介して接続されたクライアント端末」に相当する。
　してみれば，引用例１発明の「検索装置２」と本件補正発明の「情報検索装置」とは，「ネットワークを介して接続されたクライアント端末からの検索要求に含まれる検索条件を取得する検索条件取得手段」を備えている点で共通している。
　
（ｃ）引用例１発明において，検索装置２が備えるイベント検索・広告選択装置６の検索処理部６１ａは，検索条件に基づいてイベント情報記憶部７２ａを検索して，１つ又は複数のイベント情報を抽出するものである。
　そして，引用例１発明の「検索条件に基づいてイベント情報記憶部７２ａを検索して，１つ又は複数のイベント情報を抽出」することが，本件補正発明の「検索条件に適合する情報を検索する」ことに相当するから，引用例１発明の「検索条件に基づいてイベント情報記憶部７２ａを検索して，１つ又は複数のイベント情報を抽出する検索処理部６１ａ」が本件補正発明の「検索条件に適合する情報を検索する検索実行手段」に相当する。
　してみれば，引用例１発明の「検索装置２」と本件補正発明の「情報検索装置」とは，「検索条件に適合する情報を検索する検索実行手段」を備えている点で共通している。
　
（ｄ）引用例１発明では，検索処理部６１ａで検索されたイベント情報が複数の場合に，イベント情報フィルタ処理部６３ａがフィルタ処理を行い，さらに，イベント優先度設定処理部６４ａが，フィルタ処理がなされたイベント情報に対して，所定の優先度による並び替えを行って，イベント情報リストＤ２とし，このイベント情報リストＤ２をユーザ端末３の検索結果一覧領域Ａ７に一覧表示している。
　ここで，引用例１発明の「検索処理部６１ａで検索され，さらに，イベント情報フィルタ処理部６３ａでフィルタ処理がなされたイベント情報」が本件補正発明の「検索実行手段による検索結果」に相当し，また，引用例１発明の「イベント優先度設定処理部６４ａが，フィルタ処理がなされたイベント情報に対して，所定の優先度による並び替えを行って，イベント情報リストＤ２とし，このイベント情報リストＤ２をユーザ端末３の検索結果一覧領域Ａ７に一覧表示」することが，本件補正発明の「所定の条件に従って並び替えてクライアント端末に提示する」ことに相当する。
　してみれば，引用例１発明の「検索装置２」と本件補正発明の「情報検索装置」とは，「検索実行手段による検索結果を，所定の条件に従って並び替えてクライアント端末に提示する検索結果提示手段」を備えている点で共通している。
　
（ｅ）引用例１発明の情報記憶装置７ａは，「複数のユーザの個々についてユーザ属性情報が記録されるユーザ情報記憶部７１ａ」を有しており，このユーザ情報記憶部７１ａには，「ユーザがユーザ端末３より入力したユーザの趣味嗜好情報」が記録されるものであるから，引用例１発明の検索装置２が，ユーザ端末３より入力されたユーザの趣味嗜好情報等のユーザ属性を取得する「ユーザ属性取得手段」を備えていることは自明のことである。
　してみれば，引用例１発明の「検索装置２」と本件補正発明の「情報検索装置」とは，「クライアント端末からユーザ属性を取得するユーザ属性取得手段」を備えている点で共通している。
　
　そうすると，本件補正発明と引用例１発明とは，
　
「ネットワークを介して接続されたクライアント端末からの検索要求に含まれる検索条件を取得する検索条件取得手段と，
　前記検索条件に適合する情報を検索する検索実行手段と，
　前記検索実行手段による検索結果を，所定の条件に従って並び替えて前記クライアント端末に提示する検索結果提示手段と，を備えた情報検索装置であって，
　前記クライアント端末からユーザ属性を取得するユーザ属性取得手段を備える情報検索装置。」
　
の点で一致し，次の点で相違する。
　
［相違点１］
　本件補正発明では，情報検索装置が，「ユーザ属性に基づいて生成された情報から，このユーザの現在のステータスを表すステータス情報を抽出するステータス情報抽出手段」を備えているのに対して，引用例１発明の検索装置２は，そのような手段を備えていない点。
　
［相違点２］
　本件補正発明では，検索結果提示手段が，「前記ステータス情報に含まれるユーザの居場所を示す情報に基づいて生成され，その生成タイミングに応じて変化しうる変動情報の組合せに応じて検索結果に含まれるそれぞれの情報にポイントを付与し，ポイントの総計に応じたランキングに従って検索結果を並び替える」のに対して，引用例１発明は，そのようになっていない点。
　
５．当審の判断
　上記各相違点について検討する。
　
［相違点１］及び［相違点２］について
　例えば「福村真哉　外４名，モバイル環境における状況依存型アプリケーションのためのＰ２Ｐプラットフォーム，第１４回データ工学ワークショップ（ＤＥＷＳ２００３）論文集，電子情報通信学会データ工学研究専門委員会，２００３年５月１６日」（以下，「周知例１」という。）には，「ここで，ユーザにとって有用な情報は，固定端末環境とは異なり，現在位置や時間といった周囲状況に応じて逐次変化するため，検索結果は検索要求を出す端末（ユーザ）の状況や検索対象となるデータの状況を考慮して動的に変化すべきである。」（第２頁左欄第２１〜２５行），「モバイル環境においては，ユーザの求める情報が現在位置や天気といった状況依存情報に大きく依存するため，これらを取得し，アプリケーションで利用できる必要がある。」（第７頁左欄第９〜１１行）と記載され，また，周知例１の第５頁の「表１」には，状況依存情報の例として，「天気」，「気温」，「湿度」が例示され，また，例えば特開２００５−３１９１６号公報（以下，「周知例２」という。）には，「コンテクストアウェアアプリケーションの主要な目標の一つは，センシングされる状況情報を用いることによって，簡単に必要な情報サービスにアクセスできるようにすることである。（途中省略）このようなシステムでは，利用者の周辺に装備される各種センサから得られる情報を用い，利用者の置かれた状況を分析し，利用者が必要とする情報サービスを推論する必要がある。（途中省略）即ち，ある状況において，どのような情報サービスを，どのようなタイミングで提供されたいかをカスタマイズする手段を利用者に提供し，これによって，様々な状況において，利用者のニーズに適合した情報サービスを提示できるようにする。」（【０００７】〜【０００９】段落），「その他にもネットワーク上の，特にＷＷＷにおいて，利用者を取り巻く状況を示す情報が多々提供されている。例えば利用者の位置（即ち，本発明の装置の位置）における天気，気温，湿度などである。このような情報を提供する情報サービスも一種のセンサ手段とみなせる。本発明の装置はこのようなネットワーク上の情報サービスをセンサ手段の一つとして利用する場合がある。また，上述した多様なセンサ手段より得られる状況情報を収集し，そこから新たな状況情報を提供するセンサ手段を利用する場合もある（例えば，装置の現在位置の天気情報を得るには，まず，ＧＰＳ等の位置取得用センサ手段を用いて現在位置を取得し，その現在位置情報をキーとして天気情報を提供するセンサ手段を利用することになる）。」（【００４９】〜【００５０】段落）と記載されているように，情報サービスを提供する際に「天気」や「気温」，「湿度」などのユーザの周りの状況を考慮して，ユーザにとって有用な情報あるいはユーザが必要とする情報を推論することは周知の事項である。
　そして，「天気」や「気温」，「湿度」などの情報が，位置を特定することにより，「ＷＷＷで提供される情報サービスのウェブページ」から取得可能であることは周知の事項であり（周知例１の第５頁左欄第２４〜２５行の記載，周知例２の【００４９】〜【００５０】段落の記載参照），引用例１発明において，天気や気温，湿度などのユーザの周りの状況を考慮する際に，ユーザの位置を特定して，ＷＷＷで提供される情報サービスのウェブページから天気や気温，湿度などの情報を抽出するように構成すること，つまり，「ユーザ属性（ユーザの位置）に基づいて生成された情報（ＷＷＷで提供される情報サービスのウェブページ）から，このユーザの現在のステータスを表すステータス情報（ユーザの周りの天気や気温，湿度などの情報）を抽出するステータス情報抽出手段」を備えるように構成することは，当業者が適宜なし得る設計的事項である。
　してみれば，引用例１発明において，検索結果を並べ替える際に，ユーザのニーズに適合した情報が検索結果のより上位に提示されるように，ユーザの位置に基づく「ユーザの周りの状況」である「天気」や「気温」，「湿度」に基づいて優先度を決定するように構成し，そのために，「ユーザ属性に基づいて生成された情報から，このユーザの現在のステータスを表すステータス情報を抽出するステータス情報抽出手段」を備えるように構成することは当業者が容易に想到し得たことである。
　
　また，「ユーザの周りの状況」である「天気」や「気温」，「湿度」の情報は，上記のとおり，「ステータス情報に含まれ」るものであり，また，これらの情報が，「ユーザの居場所を示す情報に基づいて生成され，その生成タイミングに応じて変化しうる」ものであることは自明のことであるから，「ユーザの周りの状況」である「天気」や「気温」，「湿度」の情報は，「ステータス情報に含まれるユーザの居場所を示す情報に基づいて生成され，その生成タイミングに応じて変化しうる変動情報」に他ならない。
　そして，例えば特開２００４−３０９３６８号公報には，ナビゲーション装置ではあるが，検索結果を優先順位の高い順に並べるための優先度（ポイントの総計）を算出する際に，複数の観点の組合せ，例えば「季節感」と「キーワード」の組合せ（図４），「同行者」と「キーワード」の組合せ（図５），及び「同行者」と「ジャンル」の組合せ（図６）に応じた優先度（ポイント）の数値が設定されたテーブルを設け，検索された目的地毎に，上記各組合せに応じた優先度（ポイント）の数値をテーブルから決定して加算することが記載されているように，検索結果を並べ替えるための優先度（ポイントの総計）を，複数の観点の「組合せに応じて」決定することは，当業者が適宜なし得る設計的事項である。
　また，特開２００４−３０９３６８号公報にも記載されているように，検索結果の並び替えを行う際に，「検索結果に含まれるそれぞれの情報にポイントを付与し，ポイントの総計に応じたランキングに従って検索結果を並び替える」ように構成することは，常套手段である。
　してみれば，引用例１発明において，「ステータス情報に含まれるユーザの居場所を示す情報に基づいて生成され，その生成タイミングに応じて変化しうる変動情報の組合せに応じて検索結果に含まれるそれぞれの情報にポイントを付与し，ポイントの総計に応じたランキングに従って検索結果を並び替える」ように構成することは，当業者が容易に想到し得たことである。
　
　そして，本件補正発明の作用効果も，引用例１発明及び周知の事項から当業者が予測できる範囲のものである。
　
　よって，本件補正発明は，引用例１発明及び周知の事項に基づいて当業者が容易に発明をすることができたものであるから，特許法第２９条第２項の規定により特許出願の際独立して特許を受けることができないものである。
　
６．むすび
　したがって，本件補正は，特許法第１７条の２第６項において準用する同法第１２６条第７項の規定に違反するので，同法第１５９条第１項の規定において読み替えて準用する同法第５３条第１項の規定により却下すべきものである。
　
第３　本願発明について
１．本願発明
　平成２４年９月２０日付けの手続補正は，上記のとおり却下されたので，本願の請求項１に係る発明は，平成２３年１２月１日付けの手続補正書によって補正された特許請求の範囲の請求項１に記載された事項により特定される次のとおりのものである。（以下，「本願発明」という。）
　
「　【請求項１】
　ネットワークを介して接続されたクライアント端末からの検索要求に含まれる検索条件を取得する検索条件取得手段と，
　前記検索条件に適合する情報を検索する検索実行手段と，
　前記検索実行手段による検索結果を，所定の条件に従って並び替えて前記クライアント端末に提示する検索結果提示手段と，を備えた情報検索装置であって，
　前記クライアント端末からユーザ属性を取得するユーザ属性取得手段と，
　前記ユーザ属性に基づいて生成された情報から，このユーザの現在のステータスを表すステータス情報を抽出するステータス情報抽出手段と，を備え，
　前記検索結果提示手段は，前記ステータス情報に含まれるユーザの居場所を示す情報に基づいて生成され，その生成タイミングに応じて変化しうる変動情報に基づいて検索結果を並び替えることを特徴とする情報検索装置。」
　
２．引用例
　原査定の拒絶の理由に引用された引用例１には，上記「第２　［理由］３．」に記載したとおりの事項が記載されている。
　
３．対比・判断
　本願発明は，上記「第２　［理由］」で検討した本件補正発明から，上記「第２　［理由］２．」に記載した補正事項（ａ）に係る限定を省いたものである。
　
　そうすると，本願発明の構成要件を全て含み，更に他の要件を付加したものに相当する本件補正発明が前記「第２　［理由］５．」に記載したとおり，引用例１発明及び周知の事項に基づいて，当業者が容易に発明をすることができたものであるから，本願発明も，同様の理由により，引用例１発明及び周知の事項に基づいて当業者が容易に発明をすることができたものである。
　
４．むすび
　以上のとおり，本願発明は，引用例１発明及び周知の事項に基づいて，当業者が容易に発明をすることができたものであるから，特許法第２９条第２項の規定により特許を受けることができない。
　したがって，本願は他の請求項について検討するまでもなく拒絶されるべきものである。
　よって，結論のとおり審決する。